(57)【要約】本発明は、照明の分野に属する内挿結合式磁気エネルギー発生器、および同内挿結合式磁気エネルギー発生器を備えた磁気エネルギーランプに関する。磁気エネルギー発生器は、互いに接続される２つの別々の磁石を有している。閉磁回路の一定のすき間は、２つの磁石の間に形成され、閉磁回路によって発生される磁場の中心が正確に位置決めされる。磁気エネルギーランプは、ランプ本体と磁気エネルギー発生器とを有する。ランプ本体には貫通穴が設けられている。別々の磁石の一方は貫通穴を介してランプ本体を貫いて、他方の磁石と結合している。本発明に係る磁気エネルギー発生器および同じものを用いたランプは簡単な構造、使用及び組み立ての利便性、製造の容易さ、低価格を備えている。均一性が改良され、製品の標準に達する比率は、９８％まで増加させることができる。それにより、大量生産のための信頼できる技術的解決法が利用できるようになる。【選択図】図１
2008524861.tif 000002
【特許請求の範囲】
【請求項１】
２つの別々の磁石によって結合された磁性体を有し、閉磁回路の一定のすき間が、２つの磁石の間に形成されている
ことを特徴とする内挿結合式磁気エネルギー発生器。
【請求項２】
前記別々の磁石には、電磁誘導コイルがその周りに巻き付けられる絶縁ベークライトフレームが設けられ、前記誘導コイルは、絶縁体で覆われた多重らせんエナメル線、又は絶縁体で覆われ、フレーム上を平行に巻きつけられた２又は４の多重らせんのエナメル線であり、フレーム上に巻きつけられる前記コイルは１又はＮの輪を有し、フレーム上に巻きつけられる前記コイルは絶縁体で覆われた複数の多重らせんの線からなり、それぞれが異なる直径と断面と異なる姿勢を有している、又は絶縁体で覆われた銅片からなることを特徴とする請求項１に記載の磁気エネルギー発生器。
【請求項３】
前記別々の磁石の１つは、１以上の突起部がその中央に備えられた凹槽型の磁石であり、他の磁石は前記凹槽型の磁石をカバーするとともに、前記凹槽型の磁石内に挿入される前記突出部と同数の直棒を備え、前記突出部は一定のすき間を形成するように前記直棒に調整され、前記突起部及び前記直棒外部は、電磁誘導コイルがその周りに巻き付けられる絶縁ベークライトフレームが配置されている
ことを特徴とする請求項１に記載の磁気エネルギー発生器。
【請求項４】
前記別々の磁石の１つは、凹槽型の磁石であり、他の磁石は前記凹槽型の磁石をカバーするとともに、前記凹槽型の磁石内に挿入される１以上の直棒を備え、一定のすき間は前記直棒と前記凹槽型の磁石との間に形成され、前記直棒外部は、電磁誘導コイルがその周りに巻き付けられる絶縁ベークライトフレームが配置されている
ことを特徴とする請求項１に記載の磁気エネルギー発生器。
【請求項５】
前記別々の磁石の１つは、中間凹槽型の磁石であり、他の磁石は中間凹槽型の磁石であり、それぞれの磁石は２つの側面部を有し、前記磁石は、それぞれの一方の側面部が互いに接続されており、一定のすき間はそれぞれの他方の側面部によって形成され、前記側面部外部は、電磁誘導コイルがその周りに巻き付けられる絶縁ベークライトフレームが配置されている
ことを特徴とする請求項１に記載の磁気エネルギー発生器。
【請求項６】
前記別々の磁石の１つは、１以上の突出部がその中央に備えられた中間凹槽型の磁石であり、他の磁石は同様な突出部を備える中間凹槽型の磁石であり、それぞれの磁石はそれぞれが結合された２つの側面部を有し、それぞれの磁石における前記突出部は、一定のすき間を形成するために互いに調整されており、前記すき間を形成する前記突出部外部は、電磁誘導コイルがその周りに巻き付けられる絶縁ベークライトフレームが配置されている
ことを特徴とする請求項１に記載の磁気エネルギー発生器。
【請求項７】
磁気エネルギーランプであって、前記磁気エネルギーランプは、ランプ本体と、磁気エネルギー発生器とを有し、前記磁気エネルギー発生器は、互いに結合された２つの別々の磁石により構成され、前記ランプ本体は、前記磁気エネルギー発生器を挿入可能な貫通穴を有し、前記ランプ本体は、閉ざされた中空体であり、前記中空体の内壁には蛍光粉末が被覆され、中空体内部は、不活性ガスおよび水銀が充填されている
ことを特徴とする磁気エネルギーランプ。
【請求項８】
前記別々の磁石の１つは、他の磁石と結合するように前記ランプ本体を前記貫通穴を通って挿入され、閉磁回路の一定のすき間が前記２つの別々の磁石の間に形成されるようになっている
ことを特徴とする請求項７に記載の磁気エネルギーランプ。
【請求項９】
前記ランプ本体は１以上の貫通穴を有し、凹槽型の磁石の２つの側面部と直棒とが前記ランプ本体に挿入可能である
ことを特徴とする請求項７に記載の磁気エネルギーランプ。
【請求項１０】
前記磁気エネルギー発生器の磁石は、前記貫通穴に挿入可能であり、前記磁気エネルギー発生器は、前記ランプ本体によって囲まれている
ことを特徴とする請求項７に記載の磁気エネルギーランプ。
【発明の詳細な説明】
【技術分野】
【０００１】
本発明は、照明の分野に属する内挿結合式磁気エネルギー発生器および同内挿結合式磁気エネルギー発生器を備えた磁気エネルギーランプに関し、特に、磁気エネルギー発生器、および照明を稼動させるための電磁エネルギーを発生するために磁気エネルギー発生器が用いられる磁気エネルギーランプに関する。
【背景技術】
【０００２】
磁気エネルギーランプは、標準の蛍光ランプが稼動する原理よりはむしろ、高周波の磁気エネルギー電磁共鳴の原理に基づいて稼動し、その原理においては、フィラメントおよび電極を含むＬＣシリーズ共鳴フィラメントは予熱され、それから電極は発光させるための蛍光粉末を活性化する。磁気エネルギー蛍光ランプの可動寿命は５０，０００〜１００，０００時間にまで達し、当該時間は標準の蛍光ランプよりも１６倍長い。標準の蛍光ランプと比べると、磁気エネルギーランプはほとんど減衰がなく、省エネ効果を３５〜４５％増加させ、また６Ｗ〜１，５００Ｗの入力電力を保持することができる。
【０００３】
無電極ランプおよび電磁誘導ランプは１５年前に開発が始められたので、それらの入力電力および発光効率を増加させるためのさまざまな取り組みが行われてきた。しかしながら、構造のような技術的問題や原価高の理由により、その取り組みは、ランプの入力電力を１６５Ｗ以下および発光効率を６０ｌｍ／Ｗ以下にまでしかなっていない。結果として、これらのランプはいまだに開発段階にあり、幅広くは使用されていない。
【０００４】
高周波の電磁誘導装置は電磁誘導ランプを開発するための重要な要素と考えられてきた。技術的に電磁誘導装置に用いられる磁石リングは二つの誘導磁石半片から成り、それらを自由に開閉することができ、従って正確に配置することはできない。また、磁石により形成された磁気回路すき間は一定の寸法および位置を有していない。結果として、技術的にランプの電磁誘導強度を正確に制御することはできない。
標準の電磁誘導ランプに用いられる誘導コイルは別々の磁石半片の部分の周りに巻き付けられる。二つの別々の磁石半片により形成されたすき間と同様に、二つの対応する磁石半片の間の位置関係は一定ではないので、二つの磁石半片により確立された閉磁回路の電磁場強度を正確に制御することはできない。さらに、電磁誘導コイルが巻き付けられる別々の磁石半片は常に不安定な位置にあるので、電磁誘導装置の部品の間の距離、位置、すき間、および空間、および二つの磁石半片によって確立された閉磁回路のすき間を正確に制御することはできない。結果として、磁石半片の周りに巻き付けられる電磁誘導コイルに電気が通されるとき、電磁誘導コイルにより発生させられた誘導磁場、誘導電圧、および誘導電流は常に不安定である。
電磁誘導装置における軟磁性フェライト（磁石）を一定の位置に固定することはできないので、発光するための誘導磁場を発生させるよう回路が稼動する後に、そこから発生した熱は軟磁性フェライトを拡張された状態にする。結果として、誘導磁場強度、電圧、および電流は不安定になる。
不安定な磁場強度およびランプから発生した高温は、磁気回路のすき間を拡張された状態にし、それは誘導電流および誘導電圧を制御不能に変化した状態にする。変化した誘導電流および誘導電圧は磁石自身の誘導共振周波数を変化させ、それにより力と、過電圧および過電流を引き起こすランプの入力電流と電圧とを増加させるランプの入力電力を絶え間なく増加させる。これは電磁誘導装置における悪循環となる。すなわち、フェライト磁石リングの周りに巻き付けられたコイルで発生している過電流はコイルの温度を絶え間なく上昇させ、それは不安定な電磁誘導強度を生じさせ、ランプの電流と電力、およびランプの部品の温度はその結果絶え間なく上昇する。最終的には、磁石はその磁性を失い、ランプに適用される電気回路は燃え尽きる。
【発明の開示】
【発明が解決しようとする課題】
【０００５】
本発明の目的は、発生器の部品の間の相対的に固定された距離、位置、すき間、および空間を供給する、フェライトを使用した磁気エネルギー発生器を提供することであり、それにより閉磁回路のすき間は安定した電磁強度を発生させるよう一定に保たれる。従って、磁気エネルギー発生器における電磁誘導コイルが巻き付けられている別々の磁石は、常に安定した運転状況で稼動することができる。
【課題を解決するための手段】
【０００６】
上記目的を達成するために、本発明の磁気エネルギー発生器は、一緒に結合された二つの別々の磁石を有している。このように、二つの別々の磁石は、閉磁回路により発生させられた磁場の中心を位置づけるために閉磁回路の一定のすき間を設置し、それにより閉磁回路の一定のすき間は電磁誘導電流を正確に定めることができる。
磁石にはその上に電磁誘導コイルが巻き付けられる絶縁ベークライトフレームが設けられている。磁石で一定の閉磁回路のすき間は電磁誘導電流を正確に定めることができ、それによりそこへ適用される電気回路の制御性および信頼性は著しく改良され、製造原価が削減される。結果として、製品の安定性および標準に達する比率は増加し、それにより大量生産のための信頼できる技術的解決法が利用できるようになる。
【０００７】
本発明の磁気エネルギー発生器の磁石本体は、互いに結合された２つの別々の磁石から構成される。別々の磁石の１つは、１以上の突起部がその中央に備えられた凹槽型の磁石であり、他の磁石は凹槽型の磁石をカバーするとともに、凹槽型の磁石内に挿入される突出部と同数の直棒を備えている。突出部は一定のすき間を形成するように直棒と調整されている。突起部及び直棒外部は、電磁誘導コイルがその周りに巻き付けられる絶縁ベークライトフレームが配置されている。それぞれの磁石は、磁石が互いに固定され、且つ位置決めされるかみ合い段を画定している。
【０００８】
本発明の磁気エネルギー発生器の磁石本体は、互いに結合された２つの別々の磁石から構成される。別々の磁石の１つは、凹槽型の磁石であり、他の磁石は凹槽型の磁石をカバーするとともに、凹槽型の磁石内に挿入される１以上の直棒を備えている。一定のすき間は直棒と凹槽型の磁石との間に形成される。直棒外部は、電磁誘導コイルがその周りに巻き付けられる絶縁ベークライトフレームが配置されている。それぞれの磁石は、磁石が互いに固定され、且つ位置決めされるかみ合い段を画定している。
【０００９】
本発明の磁気エネルギー発生器の磁石本体は、互いに結合された２つの別々の磁石から構成される。別々の磁石の１つは、中間的な凹槽型の磁石であり、他の磁石は中間的な凹槽型の磁石であってもよい。それぞれの磁石は２つの側面部を有している。磁石は、それぞれの一方の側面部が互いに接続されており、一定のすき間はそれぞれの他方の側面部によって形成されている。すき間を形成する側面部外部は、電磁誘導コイルがその周りに巻き付けられる絶縁ベークライトフレームが配置されている。互いに結合された側面部のそれぞれは、磁石が互いに固定され、且つ位置決めされるかみ合い段を画定している。中間的な凹槽型の磁石は、矩形、半円、又はその他の形であってもよい。
【００１０】
本発明の磁気エネルギー発生器の磁石本体は、互いに結合された２つの別々の磁石から構成される。別々の磁石の１つは、１以上の突出部がその中央に備えられた中間凹槽型の磁石であり、他の磁石は同様な突出部を備える中間凹槽型の磁石であってもよい。それぞれの磁石はそれぞれが結合された２つの側面部を有する。それぞれの磁石における突出部は、一定のすき間を形成するために互いに調整されている。すき間を形成する突出部外部は、電磁誘導コイルがその周りに巻き付けられる絶縁ベークライトフレームが配置されている。互いに結合された側面部のそれぞれは、磁石が互いに固定され、且つ位置決めされて組み合わされるかみ合い段を画定している。中間凹槽型の磁石は、４角形、半円、又はその他の形であってもよい。
【００１１】
本発明の磁石は上述したようにかみ合い段によって結合することができ、閉磁回路の一定のすき間が２つの磁石の間に形成されるとともに、閉磁回路によって生成される磁場の中央がそれによって正確に決定されるように、２つの磁石が正確に位置決めされる限り、平面のような他の物理的構成を用いることもできる。
【００１２】
本発明によると、磁気エネルギー発生器とランプ本体とを有する磁気エネルギーランプが提供される。ランプ本体は、貫通穴を有する。磁気エネルギー発生器は、互いに結合された２つの別々の磁石により構成される。閉磁回路の一定のすき間は、２つの別々の磁石の間に形成される。別々の磁石の１つは、閉磁回路の一定のすき間を形成するために他の磁石と結合するように、ランプ本体に貫通穴を通って挿入される。磁石には、電磁誘導コイルがその周りに巻き付けられる絶縁ベークライトフレームが配置されている。
【００１３】
本発明によると、磁気エネルギーランプが提供され、磁気エネルギーランプは、磁気エネルギー発生器とトランプ本体とを有する。磁気エネルギー発生器は、互いに結合された２つの別々の磁石により構成される。閉磁回路の一定のすき間は、２つの別々の磁石の間に形成される。ランプ本体は、１以上の貫通穴を備えている。磁石の１つは、閉磁回路の一定のすき間を形成するために他の磁石と結合するように、ランプ本体に貫通穴を通って挿入される。
【００１４】
ランプ本体には、電磁誘導コイルがその周りに巻き付けられる絶縁ベークライトフレームが配置されてもよい。
【００１５】
本発明による磁気エネルギー発生器のコイルは、磁気回路の一定のすき間を取り囲むフレームの上に一定間隔で正確に巻き付けられる。このように、磁気エネルギー発生器は、磁石の電磁効率を増加させるために多数の面でランプ本体と接している。磁気エネルギー発生器の上に巻き付けられる電磁誘導コイルは、絶縁体で覆われた多重らせんのエナメル線であってもよく、あるいはそれはフレームの上に平行に巻き付けられる、絶縁体で覆われた２又は４の多重らせんのエナメル線であってもよい。フレームの上に巻き付けられるコイルは１又はＮ個の輪を備えている。フレームの上に巻き付けられるコイルは絶縁体で覆われた複数の多重らせんの線から成り、それぞれが異なる直径および断面と、異なった姿勢を備えていてもよい。あるいはそれは絶縁体で覆われた銅片であってもよい。
【発明の効果】
【００１６】
先行技術と比較すると、本発明による磁気エネルギー発生器およびランプは簡単な構造、使用及び組み立ての利便性、製造の容易さ、および低価格を備えている。閉磁回路の電磁強度が絶え間なく生じるように、磁石の間の磁石により画定されたすき間が固定される。結果として、誘導磁場、誘導電圧および誘導電流を発生させるために磁石の上に巻き付けられたコイルに電気が通されるとき、磁石は常に安定状態にある。その上、磁気エネルギー発生器が高い電磁効率を有するように磁気エネルギー発生器の磁石は多数の面でランプ本体と接している。接している面の数は少なくとも６〜２８であり、二つの対応して適合された完全な磁場又は効力のある四つの平面磁場が存在し、それにより電磁場の接している面は３〜８倍に増加する。結果として、電磁誘導性は２〜４倍に増加する。
【００１７】
上述のように、磁気エネルギー発生器の電磁誘導は閉磁回路内部で完全に発生する。閉磁回路における電磁コイルによって誘発された電磁場のすべての磁力線は、閉磁回路の二つの対応する磁場の中で有効に制限される。電磁誘導コイルによって誘発された電磁誘導電流によって作られた仕事量はランプ本体に適用される。閉磁回路の磁場における磁力線は磁場の方向に沿ってランプ本体に適用する。その結果として、磁気放射および磁気損失は削減され、電磁効率は増加する。適用された磁気エネルギー発生器は、電磁誘導電流および共振周波数が要望どおり計算され制御されようにする。磁石は、補完的に正確に磁石を一緒に固定することができる段を設け、それにより閉磁回路により発生させられた磁場の中心が正確に決定される。磁石の間のすき間は固定されているので、電磁誘導電流は正確に決定される。磁場の中心および電磁誘導電流を決定することによって、適用される電気回路の設計は著しく単純化され、電気回路の制御性および信頼性は大いに改良される。したがって、製造原価は削減され、均一性が改良され、製品の標準に達する比率は９８％まで増加する。それにより大量生産のための信頼できる技術的解決法が利用できるようになる。
【発明を実施するための最良の形態】
【００１８】
本発明を、添付図面を参照して詳細に説明する。
【００１９】
図１に示されるように、本発明の磁気エネルギー発生器の磁石本体は、互いに結合された２つの別々の磁石から成っている。別々の磁石の１つは、その中央に突起部２が備えられた凹槽型の磁石１であり、他の磁石は、凹槽型の磁石１をカバーするとともに、凹槽型の磁石１内に挿入される直棒４を備えるＴ字状の磁石３である。突起部２は一定のすき間５を形成するために、直棒４に合せて調整されている。かみ合い段８は、凹槽型の磁石に２つの磁石を位置決めするために備えられている段と結合するためにＴ字状の磁石３に備えられている。突起部２と直棒４との外部には、電磁誘導コイル１０がその周りに巻き付けられる絶縁ベークライトフレーム９が配置されている。コイルはリード線７に接続されている。
【００２０】
図２に示されるように、本発明の磁気エネルギー発生器の磁石本体は、互いに結合された２つの別々の磁石から成っている。別々の磁石の１つは、凹槽型の磁石１であり、他の磁石は凹槽型の磁石をカバーするとともに、凹槽型の磁石内に挿入される直棒４を備えているＴ字状の磁石３である。一定のすき間５は直棒と凹槽型の磁石との間に形成される。直棒外部は、電磁誘導コイル１０がその周りに巻き付けられる絶縁ベークライトフレーム９が配置されている。Ｔ字状の磁石は、かみ合い段８を画定し、凹槽型の磁石もまたかみ合い段を画定している。これらかみ合い段によって、磁石は互いに固定され、位置決めされる。
【００２１】
図２−１に示されるように、本発明の磁気エネルギー発生器の磁石本体は、互いに結合された２つの別々の磁石から成っている。別々の磁石の１つは、凹槽型の磁石１であり、他の磁石は凹槽型の磁石をカバーするとともに、凹槽型の磁石内に挿入される直棒４を備えているＴ字状の磁石３である。一定のすき間５は直棒と凹槽型の磁石との間に形成される。凹槽型の磁石の２つの側面部外部は、電磁誘導コイル１０がその周りに巻き付けられる絶縁ベークライトフレーム９が配置されている。Ｔ字状の磁石は、かみ合い段８を画定し、凹槽型の磁石もまたかみ合い段を画定している。これらかみ合い段によって、磁石は互いに固定され、位置決めされる。
【００２２】
図２−２は、凹槽型の磁石が段状の面８’によってＴ字状の磁石と結合されている、本発明の磁気エネルギー発生器の構造概略図を示している。
【００２３】
図２−３は、凹槽型の磁石が平面状の面８”によってＴ字状の磁石と結合されている、本発明の磁気エネルギー発生器の構造概略図を示している。
【００２４】
図３に示されるように、本発明の磁気エネルギー発生器の磁石本体は、互いに結合された２つの別々の磁石から成っている。別々の磁石の１つは凹槽型の磁石１であり、他の磁石も凹槽型の磁石３である。それぞれの磁石は、２つの側面部を備える。それら磁石はそれぞれの１の側面部によって互いに接続され、一定のすき間５はそれぞれの他の側面部によって形成されている。すき間を形成している側面部外部は、電磁誘導コイル１０がその周りに巻き付けられる絶縁ベークライトフレーム９が配置されている。互いに結合されている側面部のそれぞれは、それによって磁石が互いに固定され、位置決めされるかみ合い段８を画定する。
【００２５】
図４に示されるように、本発明の磁気エネルギー発生器の磁石本体は、互いに結合された２つの別々の磁石から成っている。別々の磁石の１つは、突起部２がその中央に備えられている中間凹槽型の磁石１であり、他の磁石は突起部４を備える中間凹槽型の磁石３である。それぞれの磁石は、それぞれ接続される２つの側面部を有している。それぞれの磁石の突起部は、固定的なすき間５を形成するように調整されている。すき間を形成している側面部外部は、電磁誘導コイル１０がその周りに巻き付けられる絶縁ベークライトフレーム９が配置されている。互いに結合されている側面部のそれぞれは、それによって磁石が互いに固定され、位置決めされるかみ合い段８を画定する。
【００２６】
図５に示されるように、本発明に係る磁気エネルギーランプはランプ本体１１を有する。ランプ本体は、磁気エネルギー発生器が挿入可能な貫通穴１２を有する。磁気エネルギー発生器の形状に基づいて１以上の貫通穴があってもよい。本発明において、ランプ本体１１は、内壁に蛍光粉末が被覆された閉ざされた中空体である。中空体内部には、不活性ガスおよび適切な量の水銀が充填されている。ランプ内は、すくなくとも３００ｍｐの圧力となっている。
【００２７】
図６に示されるように、本発明に係る磁気エネルギーランプはランプ本体１１を有する。ランプ本体は、磁石の２つの側面部と突起部とが挿入可能なように３つの貫通穴１２を有する。ランプ本体１１は、内壁に蛍光粉末が被覆された閉ざされた中空体である。中空体内部には、不活性ガスおよび適切な量の水銀が充填されている。ランプ内は、すくなくとも３００ｍｐの圧力となっている。
【００２８】
図７に示されるように、本発明に係る磁気エネルギーランプは、磁気エネルギー発生器とランプ本体１１とを有する。ランプ本体は、磁気エネルギー発生器を挿入する３つの貫通穴１２を有する。磁気エネルギー発生器は、２つの別々の磁石から成っている。別々の磁石の１つは、凹槽型の磁石１であり、他の磁石は凹槽型の磁石をカバーするとともに、凹槽型の磁石内に挿入される直棒４を備えるＴ字状の磁石３である。一定のすき間５は直棒と凹槽型の磁石との間に形成されている。直棒外部には、電磁誘導コイル１０がその周りに巻き付けられる絶縁ベークライトフレーム９が配置されている。Ｔ字状の磁石は、２つの磁石が互いに固定され、また、位置決めされるように、凹槽型の磁石にかみ合っている。凹槽型の磁石の２つの側面部と直棒は、ランプ本体に挿入可能になっている。Ｔ字状の磁石は、凹槽型の磁石をカバーしている。
【００２９】
図８に示されるように、本発明に係る磁気エネルギーランプは、磁気エネルギー発生器とランプ本体１１とを有する。ランプ本体は、磁気エネルギー発生器の磁石１の突起部２が挿入される貫通穴１２を有する。磁気エネルギー発生器は、ランプ本体によって囲まれている。
【００３０】
図９に示されるように、本発明に係る磁気エネルギーランプは、磁気エネルギー発生器とランプ本体１１とを有する。ランプ本体は貫通穴１２を有する。磁気エネルギー発生器は、２つの別々の磁石から成っている。別々の磁石の１つは、その中央に突起部２を有する凹槽型の磁石１であり、他の磁石はその中央に突起部４を有する凹槽型の磁石３である。
突起部２および４は、貫通穴に挿入される。これら磁石は、一定のすき間５が突起部の間にこのように形成されるように互いに結合される。突起部外部には、電磁誘導コイル１０がその周りに巻き付けられる絶縁ベークライトフレーム９が配置されている。側面部のそれぞれが、それによって磁石が互いに固定され、位置決めされるかみ合い段８を画定する。磁気エネルギー発生器は、ランプ本体によって囲まれている。
【００３１】
ランプ本体には、電磁誘導コイルがその周りに巻き付けられる絶縁ベークライトフレームが配置されてもよい。
【００３２】
本発明に係る磁気エネルギー発生器のコイルは、規則的且つ正確に、磁気回路の一定のすき間を囲むフレーム上に巻かれている。このように、磁気エネルギー発生器が、磁石の電磁効率を増加させるためにランプ本体に多数の面によって接する。磁気エネルギー発生器のフレーム上に巻かれた電磁誘導コイルは、絶縁体で覆われた多重らせんのエナメル線であってもよく、また、あるいは、フレーム上に平行に巻きつけられ、絶縁体で覆われた２又は４の多重らせんのエナメル線であってもよい。フレームに巻きつけられたコイルは、１又はＮ個の輪を備えている。フレームに巻きつけられたコイルは、絶縁体で覆われた複数の多重らせんの線であってもよく、それぞれが異なる直径および断面と、異なった姿勢を備えていてもよい。あるいは、絶縁体で覆われた銅片であってもよい。
【図面の簡単な説明】
【００３３】
【図１】本発明の第１実施形態に係る磁気エネルギー発生器の構造概略図である。
【図２】本発明の第２実施形態に係る磁気エネルギー発生器の構造概略図である。
【図２−１】図２の変形の構造概略図である。
【図２−２】凹槽型磁石とＴ字状磁石を段によって結合している構造概略図である。
【図２−３】凹槽型磁石とｔ字状磁石とを平面により結合している構造概略図である。
【図３】本発明の第３実施形態に係る磁気エネルギー発生器の構造概略図である。
【図４】本発明の第４実施形態に係る磁気エネルギー発生器の構造概略図である。
【図５】本発明に係る磁気エネルギーランプの構造概略図である。
【図６】本発明に係るランプ本体の構造概略図である。
【図７】本発明の一実施形態に係る磁気エネルギーランプの構造概略図である。
【図８】本発明の他の実施形態に係る磁気エネルギーランプの構造概略図である。
【図９】本発明の更なる実施形態に係る磁気エネルギーランプの構造概略図である。
【図１】
2008524861.tif 000003
【図２】
2008524861.tif 000004
【図２−１】
2008524861.tif 000005
【図２−２】
2008524861.tif 000006
【図２−３】
2008524861.tif 000007
【図３】
2008524861.tif 000008
【図４】
2008524861.tif 000009
【図５】
2008524861.tif 000010
【図６】
2008524861.tif 000011
【図７】
2008524861.tif 000012
【図８】
2008524861.tif 000013
【図９】
2008524861.tif 000014
【国際調査報告】
2008524861.tif 000015
2008524861.tif 000016
2008524861.tif 000017
2008524861.tif 000018